(57)【要約】【課題】遠隔操作装置を検出できなくなった場合に、ユーザに遠隔操作装置の異常を報知することができるプロジェクタを提供する。【解決手段】プロジェクタ１は、プロジェクタ１の機能を遠隔操作するための遠隔操作装置（無線マウス４０）を備え、遠隔操作装置は、遠隔操作装置に設定される固有の装置ＩＤ情報を記憶するＩＤ記憶部と、第１の所定時間間隔毎に、ＩＤ記憶部に記憶された装置ＩＤ情報を送信する送信部と、を有し、プロジェクタは、装置ＩＤ情報を受信する受信部２８と、受信部で受信した装置ＩＤ情報の正当性を検証する正当性検証部と、第２の所定時間の間、受信部が装置ＩＤ情報を受信しない場合、または、第２の所定時間の間、受信部が受信した装置ＩＤ情報を正当性検証部が正当であると判断しない場合に、遠隔操作装置の検出状態が異常状態であると判断する装置検出部と、装置検出部が判断した異常状態を表示する異常表示部と、を有する。【選択図】図１
2009109539.tif 000002
【特許請求の範囲】
【請求項１】
プロジェクタの機能を遠隔操作するための遠隔操作装置を備えたプロジェクタであって、
前記遠隔操作装置は、
前記遠隔操作装置に設定される固有の装置ＩＤ情報を記憶するＩＤ記憶部と、
第１の所定時間間隔毎に、前記ＩＤ記憶部に記憶された前記装置ＩＤ情報を送信する送信部と、
を有し、
前記プロジェクタは、
前記装置ＩＤ情報を受信する受信部と、
前記受信部で受信した前記装置ＩＤ情報の正当性を検証する正当性検証部と、
第２の所定時間の間、前記受信部が装置ＩＤ情報を受信しない場合、または、前記第２の所定時間の間、前記受信部が受信した装置ＩＤ情報を前記正当性検証部が正当であると判断しない場合に、前記遠隔操作装置の検出状態が異常状態であると判断する装置検出部と、
前記装置検出部が判断した異常状態を表示する異常表示部と、
を有することを特徴とするプロジェクタ。
【請求項２】
請求項１に記載のプロジェクタであって、
前記プロジェクタの電源投入時から第３の所定時間以上経過しても、前記受信部が装置ＩＤ情報を受信しない場合、または、前記プロジェクタの電源投入時から前記第３の所定時間以上経過しても、前記受信部が受信した装置ＩＤ情報を前記正当性検証部が正当であると判断しない場合に、前記装置検出部は、前記遠隔操作装置の検出状態が異常状態であると判断することを特徴とするプロジェクタ。
【請求項３】
請求項１または２に記載のプロジェクタであって、
前記遠隔操作装置は、無線によって前記プロジェクタを操作するポインティングデバイスであることを特徴とするプロジェクタ。
【請求項４】
請求項３に記載のプロジェクタであって、
前記ポインティングデバイスはマウスであることを特徴とするプロジェクタ。
【発明の詳細な説明】
【技術分野】
【０００１】
本発明は、プロジェクタを遠隔操作するための遠隔操作装置を備えたプロジェクタに関する。
【背景技術】
【０００２】
従来、プロジェクタには、プロジェクタ本体に装備されたＵＳＢ端子に市販のＵＳＢマウスを接続して、プロジェクタの操作を行うことができるものがある（例えば、非特許文献１参照）。また、このようなプロジェクタでは、ＵＳＢマウスとして無線マウスを使用すれば、無線によって離れた場所からプロジェクタの操作を行うことができる。
【０００３】
【非特許文献１】「プロジェクター総合カタログ  ０７／０８版（カタログ番号：PJA-0708-015NN）」、ＮＥＣディスプレイソリューションズ株式会社、２００７年８月作成、ｐ．２０
【発明の開示】
【発明が解決しようとする課題】
【０００４】
しかし、プロジェクタ本体に無線マウスを接続した場合、無線マウスがプロジェクタ本体から遠くに離されたり、無線マウスの電池が消耗すると、プロジェクタは無線マウスの位置情報を正しく検出することができなくなり、投写画面上のマウスカーソルが異常な位置に移動したり、マウスカーソルを移動させることができなくなることがある。この場合、ユーザは、マウスカーソルの異常な動きによって無線マウスの異常に気付くことになる。従って、例えば無線マウスのような遠隔操作装置を正しく検出できなくなった場合に、ユーザに遠隔操作装置の異常を報知することができるプロジェクタが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、プロジェクタの機能を遠隔操作するための遠隔操作装置を備えたプロジェクタであって、前記遠隔操作装置は、前記遠隔操作装置に設定される固有の装置ＩＤ情報を記憶するＩＤ記憶部と、第１の所定時間間隔毎に、前記ＩＤ記憶部に記憶された前記装置ＩＤ情報を送信する送信部と、を有し、前記プロジェクタは、前記装置ＩＤ情報を受信する受信部と、前記受信部で受信した前記装置ＩＤ情報の正当性を検証する正当性検証部と、第２の所定時間の間、前記受信部が装置ＩＤ情報を受信しない場合、または、前記第２の所定時間の間、前記受信部が受信した装置ＩＤ情報を前記正当性検証部が正当であると判断しない場合に、前記遠隔操作装置の検出状態が異常状態であると判断する装置検出部と、前記装置検出部が判断した異常状態を表示する異常表示部と、を有することを特徴とする。
【０００７】
このようなプロジェクタによれば、遠隔操作装置が有するＩＤ記憶部は装置ＩＤ情報を記憶し、送信部は第１の所定時間間隔毎に装置ＩＤ情報を送信する。また、プロジェクタが有する受信部は装置ＩＤ情報を受信し、正当性検証部は受信部が受信した装置ＩＤ情報の正当性を検証する。そして、装置検出部は、第２の所定時間の間、受信部が装置ＩＤ情報を受信しない場合、または、第２の所定時間の間、受信した装置ＩＤ情報を正当性検証部が正当であると判断しない場合に、遠隔操作装置の検出状態が異常状態であると判断する。さらに、異常表示部は装置検出部が判断した異常状態を表示する。これにより、プロジェクタが第２の所定時間の間、遠隔操作装置を検出できない場合に、ユーザに異常状態を報知することができる。
【０００８】
［適用例２］上記適用例に係るプロジェクタにおいて、前記プロジェクタの電源投入時から第３の所定時間以上経過しても、前記受信部が装置ＩＤ情報を受信しない場合、または、前記プロジェクタの電源投入時から前記第３の所定時間以上経過しても、前記受信部が受信した装置ＩＤ情報を前記正当性検証部が正当であると判断しない場合に、前記装置検出部は、前記遠隔操作装置の検出状態が異常状態であると判断することを特徴とする。
【０００９】
このようなプロジェクタによれば、プロジェクタの電源投入時から第３の所定時間以上経過しても、正当装置ＩＤ情報を受信しない場合、または、プロジェクタの電源投入時から第３の所定時間以上経過しても正当性検証部が正当であると判断しない場合に、装置検出部は、遠隔操作装置の検出状態が異常状態であると判断する。これにより、プロジェクタの電源投入時に、遠隔操作装置を検出できない場合に、ユーザに異常状態を報知することができる。
【００１０】
［適用例３］上記適用例に係るプロジェクタにおいて、前記遠隔操作装置は、無線によって前記プロジェクタを操作するポインティングデバイスであることを特徴とする。
【００１１】
このようなプロジェクタによれば、遠隔操作装置は無線のポインティングデバイスとする。これにより、画像上にカーソルを表示させて遠隔操作することができるため、プロジェクタによるプレゼンテーションを効率的に行うことが可能となり、無線ポインティングデバイスが検出できない場合には、ユーザに報知することができる。
【００１２】
［適用例４］上記適用例に係るプロジェクタにおいて、前記ポインティングデバイスはマウスであることを特徴とする。
【００１３】
このようなプロジェクタによれば、ポインティングデバイスはマウスとする。これにより、入力装置としてのマウスの操作性を備えるプロジェクタとすることができ、無線マウスが検出できない場合には、ユーザに報知することができる。
【発明を実施するための最良の形態】
【００１４】
以下、実施形態について説明する。
【００１５】
（実施形態）
図１は、本実施形態に係るプロジェクタの概略構成を示すブロック図である。図１を使用して、プロジェクタ１の構成について説明する。
【００１６】
プロジェクタ１は、機器本体としてのプロジェクタ１と、遠隔操作装置としての無線マウス４０とを備えて構成され、プロジェクタ１は、画像投写部１０、制御部２０、入力操作部２１、ＩＤ記憶部２２、タイマ部２３、入力端子群２４、入力ソース選択部２５、画像処理部２６、ＯＳＤ処理部２７、受信部２８等を備えている。また、図１には、プロジェクタ１の外部に、スクリーンＳＣを図示している。
【００１７】
画像投写部１０は、超高圧水銀ランプやメタルハライドランプ等の放電型光源やＬＥＤ（Light Emitting Diode）等の固体型光源からなる光源１１と、光変調装置としての液晶ライトバルブ１２と、投写光学系としての投写レンズ１３と、液晶ライトバルブ１２を駆動するライトバルブ駆動部１４とを備えている。
【００１８】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００１９】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２０】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。
【００２１】
入力操作部２１は、プロジェクタ１に対して各種指示を行うための複数のキー等を備えている。入力操作部２１が備えるキーとしては、電源のオン／オフを行うための「電源キー」や、入力ソースを切り換えるための「入力ソース切換キー」、各種設定を行うためのメニュー画面の表示／非表示を切り換える「メニューキー」、メニュー画面におけるカーソルの移動等に用いられる「カーソルキー」、ヘルプ画面の表示／非表示を切り換える「ヘルプキー」等がある。ユーザが入力操作部２１を操作すると、入力操作部２１は、ユーザの操作内容に応じた操作信号を制御部２０に出力する。なお、入力操作部２１は、リモコン信号受信部（図示せず）を有し、入力操作部２１として、遠隔操作が可能なリモートコントローラ（図示せず）を用いた構成としてもよい。この場合、リモートコントローラは、ユーザの操作内容に応じた赤外線等の操作信号を発し、リモコン信号受信部がこれを受信して制御部２０に伝達する。
【００２２】
ＩＤ記憶部２２は、不揮発性のメモリであり、プロジェクタ１に接続可能とする無線マウス４０の装置ＩＤ情報が登録されている。本実施形態では、登録される装置ＩＤ情報は１つとしているが、複数登録可能とし、複数の無線マウス４０を接続可能としてもよい。登録されている装置ＩＤ情報は、制御部２０によって読み出され、制御部２０は受信した装置ＩＤ情報との比較を行う。
【００２３】
タイマ部２３は、制御部２０からの指示によって、様々なタイマ機能として計時処理を行う。本実施形態では第２の所定時間および第３の所定時間を計時する。タイマ部２３は、このような計時を行い、所定時間に達した時点で制御部２０に通知を行う。そして、制御部２０は、通知を受け取ることによって無線マウス４０の検出状態について異常状態の判断を行う。
【００２４】
入力端子群２４は、ビデオ再生装置やパーソナルコンピュータ等、図示しない外部の画像供給装置から、各種形式の画像信号を入力可能な複数の入力端子２４ａを備えている。各入力端子２４ａに入力された画像信号は、入力ソース選択部２５に供給される。
【００２５】
入力ソース選択部２５は、複数の入力端子２４ａのうち、制御部２０の指示に基づく１つの入力端子２４ａを選択し、この入力端子２４ａに入力される画像信号を画像処理部２６に出力する。ユーザが、入力操作部２１に備わる入力ソース切換キーを操作して所望の入力端子２４ａを指定すると、制御部２０は、この入力端子２４ａに入力されている画像信号が画像処理部２６に出力されるよう、入力ソース選択部２５に指示をする。
【００２６】
画像処理部２６は、入力ソース選択部２５から入力される各種形式の画像信号を、液晶ライトバルブ１２の各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等を調整するための処理等を行う。画像処理部２６で画質調整等がなされた画像データは、ＯＳＤ処理部２７に出力される。
【００２７】
ＯＳＤ処理部２７は、制御部２０の指示に基づいて、メニュー画面やメッセージ画面等のＯＳＤ（オンスクリーンディスプレイ）画像を、画像処理部２６から入力される画像データに重畳する処理を行う。ＯＳＤ処理部２７は、図示しないＯＳＤメモリを備えており、ＯＳＤ画像を形成するための図形やフォント等を表すＯＳＤ画像データを記憶している。制御部２０が、ＯＳＤ画像の重畳を指示すると、ＯＳＤ処理部２７は、必要なＯＳＤ画像データをＯＳＤメモリから読み出し、入力画像の所定の位置にＯＳＤ画像が重畳されるように、画像処理部２６から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２７は、画像処理部２６から出力される画像データを、そのままライトバルブ駆動部１４に出力する。
【００２８】
本実施形態では、ＯＳＤ処理部２７は、無線マウス４０が検出された場合には、制御部２０からの指示により、マウスカーソルを画像データに重畳する。また、ＯＳＤ処理部２７は、無線マウス４０の検出状態の異常状態を表示する異常表示部として機能し、制御部２０からの指示により、警告メッセージ画像を画像データに重畳する。
【００２９】
図２は、警告メッセージの表示図である。同図（ａ）は、プロジェクタの電源投入時に表示する警告メッセージの表示図であり、同図（ｂ）は、プロジェクタが画像を投写している際に表示する警告メッセージの表示図である。
プロジェクタ１の電源投入時に、制御部２０が、無線マウス４０を第３の所定時間以上検出できない場合、ＯＳＤ処理部２７は、図２（ａ）に示すような警告メッセージ画像Ｍ１を画像データに重畳する。警告メッセージ画像Ｍ１では、無線マウス４０が検出できない旨と、ユーザに無線マウス４０の電源が入っているかを確認する旨と、ユーザに無線マウス４０の電池が消耗していないかを確認する旨とを画像の中央に表示する。
【００３０】
また、プロジェクタ１が画像投写を開始した後（以降、「投写状態」と呼ぶ）に、制御部２０が、無線マウス４０を第２の所定時間以上検出できなくなった場合、ＯＳＤ処理部２７は、図２（ｂ）に示すような警告メッセージ画像Ｍ２を画像データに重畳する。警告メッセージ画像Ｍ２では、無線マウス４０が検出できない旨と、ヘルプキーを押下してヘルプ画面を参照することを促す旨を画像の下方に表示する。なお、ここでは図示しないが、ヘルプ画面では、無線マウス４０が検出できない場合の対処方法を表示する。例えば、「マウスの電池が消耗していませんか？」や、「マウスがプロジェクタから遠くに離されていませんか？」等の表示を行う。
【００３１】
図１に戻り、ライトバルブ駆動部１４が、入力される画像データに従って液晶ライトバルブ１２を駆動すると、液晶ライトバルブ１２は、画像データに応じた画像を形成し、この画像が投写レンズ１３からスクリーンＳＣに投写される。
【００３２】
受信部２８は、無線通信用電波の受信を行うアンテナ、アンテナを介して受信される信号の復調処理を行う無線部、ベースバンド信号処理を行うベースバンド信号処理部（いずれも図示せず）を有して構成されている。受信部２８は、無線マウス４０から無線信号として送信されるマウスの操作情報、移動情報および定期的送信情報を受信し、制御部２０に伝達する。
【００３３】
次に、無線マウス４０について説明する。
図３は、無線マウスの概略構成を示すブロック図である。
無線マウス４０は、プロジェクタ１を遠隔操作するためのポインティングデバイスとしてのマウスである。
【００３４】
図３に示すように、無線マウス４０は、制御部５０、入力操作部５１、移動検出部５２、ＩＤ記憶部５３、タイマ部５４、送信部５５等によって構成されている。
【００３５】
制御部５０は、ＣＰＵ、ＲＡＭ、および、フラッシュメモリ等の不揮発性のメモリ等（いずれも図示せず）からなり、不揮発性のメモリに記憶されている制御プログラムに従って動作することにより無線マウス４０の動作を統括制御する。つまり、制御部５０は、コンピュータとして機能する。
【００３６】
入力操作部５１は、左側ボタン、右側ボタン、ホイール等を備えている。ユーザが入力操作部５１を操作すると、入力操作部５１は、ユーザの操作内容に応じた操作信号を制御部５０に出力する。制御部５０は、押下されたボタン等に対応する操作情報を生成して送信部５５に出力する。本実施形態では、無線マウス４０の入力操作部５１の操作を行うことによって、プロジェクタ１の各種設定を行うためのメニュー画面の表示や設定を行うことを可能としている。
【００３７】
移動検出部５２は、ローラ方式や光学方式等の移動検出機構を有し、マウスの移動方向や移動速度を検出して制御部５０に移動信号を出力する。制御部５０は、マウスの移動に対応する移動情報を生成して送信部５５に出力する。
【００３８】
ＩＤ記憶部５３は、不揮発性のメモリからなり、無線マウス４０に設定された固有の装置ＩＤ情報を記憶している。装置ＩＤ情報は、制御部５０によって読み出され、送信部５５に出力される。
【００３９】
タイマ部５４は、制御部５０からの指示によって、様々なタイマ機能として計時処理を行う。本実施形態では第１の所定時間を計時する。タイマ部５４は、このような計時を行い、所定時間に達した時点で制御部５０に通知を行う。そして、制御部５０は、通知を受け取ったときに送信部５５に対して、定期的送信情報として装置ＩＤ情報を送信するように送信部５５に指示を行う。
【００４０】
送信部５５は、無線通信用電波の送信を行うアンテナ、アンテナを介して送信される信号の変調処理を行う無線部、ベースバンド信号処理を行うベースバンド信号処理部（いずれも図示せず）を有して構成されている。送信部５５は、制御部５０からの指示により、マウスの操作情報、移動情報および定期的送信情報を無線信号として送信する。なお、マウスの操作情報、移動情報および定期的送信情報は、パケットデータとして構成されており、そのパケットデータには無線マウス４０の装置ＩＤ情報が書き込まれている。
【００４１】
図４は、無線信号として送信されるパケットデータの構成図である。同図（ａ）は、操作情報または移動情報を送信する場合のパケットデータの構成図であり、同図（ｂ）は、定期的送信情報を送信する場合のパケットデータの構成図である。
パケットデータは、ヘッダ部Ｐ１およびデータ部Ｐ２によって構成される。操作情報または移動情報を送信する場合は、図４（ａ）に示すように、データ部Ｐ２は、装置ＩＤ情報Ｐ２１、操作情報Ｐ２２、移動情報Ｐ２３、その他情報Ｐ２４によって構成される。また、定期的送信情報を送信する場合は、図４（ｂ）に示すように、データ部Ｐ２の操作情報Ｐ２２および移動情報Ｐ２３に相当する情報領域は、データが無い領域として空き領域Ｐ２５，Ｐ２６となる。
【００４２】
次に、本実施形態の無線マウス４０の動作について説明する。
無線マウス４０は、１次電池等（図示せず）を内蔵し、この１次電池から制御部５０を含めた各ブロックに電力を供給するための電源スイッチ（図示せず）を備えている。そして、電源スイッチがオンされると、無線マウス４０は制御プログラムに従った動作を開始する。
【００４３】
上述した無線マウス４０の電源スイッチをオンした時から、無線マウス４０は、プロジェクタ１に無線マウス４０の操作情報、移動情報および定期的送信情報を送信する処理としての情報送信処理を行う。
【００４４】
図５は、無線マウスの情報送信処理のフローチャートである。無線マウス４０の電源スイッチをオンした時から、無線マウス４０は、図５に示すフローに従って動作する。
【００４５】
制御部５０からの指示により、タイマ部５４は、第１の所定時間として１０秒を計時するタイマをスタートする（ステップＳ１００）。次に、制御部５０は、入力操作部５１または移動検出部５２により無線マウス４０のボタン押下等の操作または移動が検出されたか否かを判断する（ステップＳ１０１）。無線マウス４０の操作または移動が検出された場合（ステップＳ１０１：ＹＥＳ）、制御部５０は、送信部５５に対して操作情報または移動情報を送信するように指示を行い、送信部５５は操作情報または移動情報を送信する（ステップＳ１０２）。次に、制御部５０からの指示により、タイマ部５４はタイマをリセットし、タイマの再スタートを行う（ステップＳ１０３）。そして、ステップＳ１０１に移行する。
【００４６】
無線マウス４０の操作または移動が検出されていない場合（ステップＳ１０１：ＮＯ）、タイマ部５４は、第１の所定時間が経過したか否かを判断する（ステップＳ１０４）。第１の所定時間が経過していれば（ステップＳ１０４：ＹＥＳ）、制御部５０は、送信部５５に対して定期的送信情報を送信するように指示を行い、送信部５５は、定期的送信情報を送信する（ステップＳ１０５）。次に、制御部５０からの指示により、タイマ部５４はタイマの再スタートを行う（ステップＳ１０６）。そして、ステップＳ１０１に移行する。
【００４７】
また、第１の所定時間が経過していなければ（ステップＳ１０４：ＮＯ）、処理は行わずに、ステップＳ１０１に移行する。上述したように、無線マウス４０は、電源スイッチがオンされている間、操作情報、移動情報および定期的送信情報の送信を行っている。
【００４８】
次に、本実施形態のプロジェクタ１の動作について説明する。
プロジェクタ１に外部からＡＣ１００Ｖ等の商用電源が供給されると、電源回路（図示せず）は、制御部２０、入力操作部２１等に電力（スタンバイ電力）の供給を行う。制御部２０は、この電力供給を受けて、制御プログラムに従った動作を開始する。商用電源が供給された直後には、プロジェクタ１は、スタンバイ状態であり、この状態では、制御部２０は、入力操作部２１の電源キーに対する操作（オン操作）を監視する。そして、このオン操作を検知すると、制御部２０は、電源回路に指示をして画像の投写等に必要なメイン電力の供給を開始させ、プロジェクタ１をオン状態とするとともに、光源１１を点灯させる等の必要な初期動作を行う。この結果、プロジェクタ１に入力された画像信号に応じた画像が画像投写部１０から投写される。
【００４９】
上述したプロジェクタ１の電源投入（メイン電力の供給開始）時から、プロジェクタ１は、無線マウス４０からの無線信号を待ち受ける第１の受信待受け処理を行う。
【００５０】
図６は、プロジェクタの第１の受信待受け処理のフローチャートである。プロジェクタ１の電源投入時に、プロジェクタ１は、図６に示すフローに従って動作する。
【００５１】
制御部２０からの指示により、タイマ部２３は、第３の所定時間として４０秒を計時するタイマをスタートする（ステップＳ２００）。受信部２８は、無線信号の受信を開始する（ステップＳ２０１）。制御部２０は、受信部２８が無線信号を受信したか否かを判断する（ステップＳ２０２）。受信部２８が無線信号を受信していれば（ステップＳ２０２：ＹＥＳ）、制御部２０は、受信した無線信号に含まれる装置ＩＤ情報が、ＩＤ記憶部２２に登録されている装置ＩＤ情報と一致するか否かを判断する（ステップＳ２０３）。
【００５２】
受信した無線信号に含まれる装置ＩＤ情報が、ＩＤ記憶部２２に登録されている装置ＩＤ情報と一致する場合（ステップＳ２０３：ＹＥＳ）、制御部２０からの指示により、タイマ部２３は第３の所定時間を計時しているタイマを停止する（ステップＳ２０４）。そして、制御部２０は、装置ＩＤ情報の信号を送信した無線マウス４０を当プロジェクタ１にとって正当であると判断し、無線マウス４０との通信を確立する（ステップＳ２０５）。そして、制御部２０は、ＯＳＤ処理部２７に指示して、画像にマウスカーソルを表示させる（ステップＳ２０６）。次に、制御部２０からの指示により、タイマ部２３は第２の所定時間を計時するタイマのスタートを行う（ステップＳ２０７）。そして、電源投入時の第１の受信待受け処理を終了する。
【００５３】
無線信号を受信していない場合（ステップＳ２０２：ＮＯ）、制御部２０は、タイマ部２３が計時している第３の所定時間が経過したか否かを判断する（ステップＳ２０８）。また、受信した無線信号に含まれる装置ＩＤ情報が、ＩＤ記憶部２２に登録されている装置ＩＤ情報と一致しない場合（ステップＳ２０３：ＮＯ）についても、ステップＳ２０８に移行し、制御部２０は、タイマ部２３が計時している第３の所定時間が経過したか否かを判断する。
【００５４】
第３の所定時間が経過していれば（ステップＳ２０８：ＹＥＳ）、制御部２０は、無線信号が受信できない状態か、または、受信した無線信号の装置ＩＤ情報が正当でない状態であり、使用可能な無線マウス４０を検出できないと判断する。そして、ＯＳＤ処理部２７に指示し、画像に図２（ａ）に示すような警告メッセージ画像Ｍ１を表示させる（ステップＳ２０９）。なお、当フローチャートでは記載しないが、警告メッセージ画像Ｍ１は、所定の時間（例えば、２０秒）が経過したら消去する。そして、制御部２０からの指示により、タイマ部２３は、第３の所定時間を計時するタイマを停止する（ステップＳ２１０）。
【００５５】
第３の所定時間が経過していなければ（ステップＳ２０８：ＮＯ）、ステップＳ２０２に移行し、無線信号の受信と装置ＩＤ情報の一致の確認を続ける。
【００５６】
次に、プロジェクタ１が投写状態において、無線マウス４０からの無線信号を待ち受ける第２の受信待受け処理について説明する。
【００５７】
図７は、プロジェクタの第２の受信待受け処理のフローチャートである。プロジェクタ１の投写状態において、プロジェクタ１は、図７に示すフローに従って動作する。
【００５８】
ここで、第２の受信待受け処理は、図６にて説明した第１の受信待受け処理に引き続いて行われる処理であり、第１の受信待受け処理において正当な装置ＩＤ情報が検出されていれば、タイマ部２３は、第２の所定時間として３０秒を計時するタイマをスタートしている（図６のステップＳ２０７）。また、第１の受信待受け処理において無線信号が検出できなかった場合、または、正当な装置ＩＤ情報が検出できなかった場合は、第２の所定時間を計時するタイマは停止している（図６のステップＳ２１０）。
【００５９】
制御部２０は、受信部２８が無線信号を受信したか否かを判断する（ステップＳ３００）。受信部２８が無線信号を受信していれば（ステップＳ３００：ＹＥＳ）、制御部２０は、受信した無線信号に含まれる装置ＩＤ情報が、ＩＤ記憶部２２に登録されている装置ＩＤ情報と一致するか否かを判断する（ステップＳ３０１）。
【００６０】
受信した無線信号に含まれる装置ＩＤ情報が、ＩＤ記憶部２２に登録されている装置ＩＤ情報と一致する場合（ステップＳ３０１：ＹＥＳ）、制御部２０からの指示により、タイマ部２３は第２の所定時間を計時するタイマを停止する（ステップＳ３０２）。制御部２０は、受信した無線信号のパケットデータの内容に従ってＯＳＤ処理部２７に指示を出し、マウスカーソルの表示等を行う（ステップＳ３０３）。パケットデータの内容に移動情報Ｐ２３が含まれていれば、ＯＳＤ処理部２７は、その移動情報Ｐ２３に従ってマウスカーソルを移動し表示させる。また、パケットデータの内容に操作情報Ｐ２２が含まれていれば、その操作情報Ｐ２２に従った処理（メニュー画面表示等）およびマウスカーソルの表示を行う。また、受信した無線信号が定期的送信情報であった場合は、マウスカーソルの表示を行う。
【００６１】
次に、制御部２０からの指示により、タイマ部２３は第２の所定時間を計時するタイマをスタートする（ステップＳ３０４）。そして、ステップＳ３００に移行し、無線信号の受信と装置ＩＤ情報の一致の確認を続ける。
【００６２】
無線信号を受信していない場合（ステップＳ３００：ＮＯ）、制御部２０は、タイマ部２３が計時している第２の所定時間が経過したか否かを判断する（ステップＳ３０５）。また、受信した無線信号に含まれる装置ＩＤ情報が、ＩＤ記憶部２２に登録されている装置ＩＤ情報と一致しない場合（ステップＳ３０１：ＮＯ）についても、ステップＳ３０５に移行し、制御部２０は、タイマ部２３が計時している第２の所定時間が経過したか否かを判断する。
【００６３】
第２の所定時間が経過していれば（ステップＳ３０５：ＹＥＳ）、制御部２０は、無線信号が受信できない状態か、または、受信した無線信号の装置ＩＤ情報が正当でない状態であり、使用可能な無線マウス４０を検出できないと判断する。そして、ＯＳＤ処理部２７に指示し、画像に図２（ｂ）に示すような警告メッセージ画像Ｍ２を表示させる（ステップＳ３０６）。次に、制御部２０は、ＯＳＤ処理部２７に指示して、マウスカーソルを消去する（ステップＳ３０７）。次に、制御部２０からの指示により、タイマ部２３は、第２の所定時間を計時するタイマを停止する（ステップＳ３０８）。そして、ステップＳ３００に移行し、無線信号の受信と装置ＩＤ情報の一致の確認を続ける。なお、当フローチャートでは記載しないが、警告メッセージ画像Ｍ２は、所定の時間（例えば、２０秒）が経過したら消去する。
【００６４】
第２の所定時間が経過していなければ（ステップＳ３０５：ＮＯ）、ステップＳ３００に移行し、無線信号の受信と装置ＩＤ情報の一致の確認を続ける。
【００６５】
なお、本実施形態では、上記ステップＳ２０３およびステップＳ３０１を実行する際の制御部２０が、正当性検証部に相当する。また、上記ステップＳ２０２で無線信号を検出できない状態、または、ステップＳ２０３で装置ＩＤ情報が正当であると判断できない状態が続き、第３の所定時間が経過したことをステップＳ２０８で判断することによって無線マウス４０の検出状態が異常状態であると判断する際の制御部２０が、装置検出部に相当する。同様に、上記ステップＳ３００で無線信号を検出できない状態、または、ステップＳ３０１で装置ＩＤ情報が正当であると判断できない状態が続き、第２の所定時間が経過したことをステップＳ３０５で判断することによって無線マウス４０の検出状態が異常状態であると判断する際の制御部２０が、装置検出部に相当する。
【００６６】
上述した実施形態によれば、以下の効果が得られる。
（１）無線マウス４０は、第１の所定時間毎に定期的送信情報を無線信号として送信する。また、無線マウス４０を操作された際には、操作情報や移動情報を無線信号として送信する。そして、プロジェクタ１は、無線マウス４０から送信された無線信号を受信する。プロジェクタ１は、電源投入時から第３の所定時間以上経過しても、無線信号を受信しない場合、または、プロジェクタ１の電源投入時から第３の所定時間以上経過しても受信した無線信号の装置ＩＤ情報がプロジェクタ１に登録されている装置ＩＤ情報に一致しない場合に、無線マウス４０の検出状態が異常状態であると判断し、警告メッセージ画像Ｍ１を表示する。これにより、プロジェクタ１の電源投入時に無線マウス４０を検出できない場合に、ユーザに異常状態を視覚的に報知することができる。例えば、無線マウス４０の電池が入っていない場合や、無線マウス４０の電源スイッチがオンになっていない場合、無線マウス４０の電池が消耗している場合、無線マウス４０がプロジェクタ１から遠くに離されている場合等の無線信号を検出できない状態をユーザに知らせることができる。この場合、ユーザは、無線マウス４０の使用状態を確認することにより、無線マウス４０が検出できなくなっている問題を解決することが可能となる。また、装置ＩＤ情報が一致しない無線マウス４０を使用している場合にも、ユーザに気付かせることが可能となる。
【００６７】
（２）プロジェクタ１は、投写状態において、第２の所定時間の間、無線信号を受信しない場合、または、第２の所定時間の間、受信した無線信号の装置ＩＤ情報がプロジェクタ１に登録されている装置ＩＤ情報に一致しない場合に、プロジェクタ１は、無線マウス４０の検出状態が異常状態であると判断し、警告メッセージ画像Ｍ２を表示する。これにより、プロジェクタ１の電源投入時に無線マウス４０を検出できた場合であっても、プロジェクタ１の投写状態において無線マウス４０を検出できなくなった場合に、ユーザに異常状態を視覚的に報知することができる。例えば、無線マウス４０の電池が消耗した場合や、無線マウス４０がプロジェクタ１から遠くに離された場合等の無線信号を検出できない状態をユーザに知らせることができる。この場合、ユーザは、無線マウス４０の使用状態を確認することで、無線マウス４０が検出できなくなった問題を解決することが可能となる。
【００６８】
（３）警告メッセージ画像Ｍ２は、入力された画像の投写中であるため、入力された画像の妨げにならないように画像の下方にメッセージ文字列を１行で表示している。さらに、メッセージ文字列ではヘルプキーを押下してヘルプ画面を参照することを促しているため、ヘルプ画面で異常状態に対する対応方法を表示することによりユーザに問題の解決方法を提示することが可能となる。
【００６９】
（４）遠隔操作装置はポインティングデバイスである無線マウス４０としているため、プロジェクタを用いて画像を投写する際に、画像上にマウスカーソルを表示させ、遠隔操作することができるため、プレゼンテーションを効率的に行うことができる。そして、無線マウス４０を用いることによって、プロジェクタ１のメニュー画面の表示や設定を容易に行うことができる。
【００７０】
なお、上述した実施形態に限定されず、種々の変更や改良などを加えて実施することが可能である。変形例を以下に述べる。
【００７１】
（変形例１）上記実施形態では、ＯＳＤ処理部２７を異常表示部としており、プロジェクタ１は、投写している画像に警告メッセージ画像Ｍ１，Ｍ２を重畳して表示するものとしたが、異常表示部としてプロジェクタ１に１つ以上のＬＥＤからなるインジケータを備え、そのＬＥＤの点灯状態を切り換えることにより、異常状態を表示するものとしてもよい。例えば、制御部２０が無線マウス４０の異常を検出した場合、ＬＥＤを赤色点滅させる。こうすれば、投写している画像に警告メッセージ画像Ｍ１，Ｍ２が表示されないため、聴衆に気付かれることなく、ユーザは無線マウス４０の異常状態を認識することができる。
【００７２】
（変形例２）上記実施形態では、遠隔操作装置は無線で接続されるマウスとしたが、有線で接続される有線マウスとしてもよい。こうすれば、有線のケーブル部分の断線や接続不良等の異常状態を検出することができる。
【００７３】
（変形例３）上記実施形態では、プロジェクタ１と無線マウス４０との間で送受信される無線信号は無線通信用電波としたが、赤外線を用いた無線信号としてもよい。
【００７４】
（変形例４）上記実施形態では、遠隔操作装置は無線マウス４０としたが、トラックボールやトラックパッド等のポインティングデバイスとしてもよい。
【００７５】
（変形例５）上記実施形態では、第１の所定時間を１０秒とし、第２の所定時間は３０秒とし、第３の所定時間は４０秒としているが、それぞれの時間はこれに限定するものではない。
【００７６】
（変形例６）上記実施形態では、光変調装置として透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【図面の簡単な説明】
【００７７】
【図１】実施形態に係るプロジェクタの概略構成を示すブロック図。
【図２】警告メッセージの表示図であり、（ａ）は、プロジェクタの電源投入時に表示する警告メッセージの表示図、（ｂ）は、プロジェクタが画像を投写している際に表示する警告メッセージの表示図。
【図３】無線マウスの概略構成を示すブロック図。
【図４】無線信号として送信されるパケットデータの構成図であり、（ａ）は、操作情報または移動情報を送信する場合のパケットデータの構成図、（ｂ）は、定期的送信情報を送信する場合のパケットデータの構成図。
【図５】無線マウスの情報送信処理のフローチャート。
【図６】プロジェクタの第１の受信待受け処理のフローチャート。
【図７】プロジェクタの第２の受信待受け処理のフローチャート。
【符号の説明】
【００７８】
１…プロジェクタ、１０…画像投写部、１１…光源、１２…液晶ライトバルブ、１３…投写レンズ、１４…ライトバルブ駆動部、２０…制御部、２１…入力操作部、２２…ＩＤ記憶部、２３…タイマ部、２４…入力端子群、２４ａ…入力端子、２５…入力ソース選択部、２６…画像処理部、２７…ＯＳＤ処理部、２８…受信部、４０…無線マウス、５０…制御部、５１…入力操作部、５２…移動検出部、５３…ＩＤ記憶部、５４…タイマ部、５５…送信部。
【図１】
2009109539.tif 000003
【図２】
2009109539.tif 000004
【図３】
2009109539.tif 000005
【図４】
2009109539.tif 000006
【図５】
2009109539.tif 000007
【図６】
2009109539.tif 000008
【図７】
2009109539.tif 000009